(57)【要約】【課題】操作パネルの取付け・取外しが容易な画像形成装置を提供すること。【解決手段】操作パネルユニット背面から延出されたブラケット５３が、ネジ７ａ〜７ｄにより装置本体内部のフレーム６に固定されることにより操作パネルユニットが装置本体に取り付けられる構造を有した画像形成装置であって、装置本体の外装は、ブラケット５３の固定部位を覆うカバー部材５３１と、それ以外の部分を覆う画像形成装置本体外装８とから成り、カバー部材５３１は操作パネルユニットのブラケット５３側に取付けられ、外部からドライバーを挿入してネジ７ａ〜７ｄの締結・解除の操作が可能な位置に筒状穴部５３２ａ〜５３２ｄが設けられており、操作パネルユニットの取り外し時において、カバー部材５３１が操作パネルユニットと一体となって装置本体から脱離する。【選択図】図３
2010134356.tif 000002
【特許請求の範囲】
【請求項１】
画像形成条件を受け付ける操作パネルを備えた画像形成装置であって、
前記操作パネルは、その背面から延出されたブラケットが、締結部材により装置本体内部のフレームに固定される構成を有し、
装置本体の外装が、前記締結部材によるブラケットの固定部位を覆う第１の外装部材と、それ以外の部分を覆う第２の外装部材とからなり、
前記第１の外装部材は、前記ブラケット側に取着されていると共に、外部から締結具を挿入して前記締結部材の締結・解除の操作が可能な位置に貫通孔もしくは開口が設けられており、
前記操作パネルの取り外し時において、当該第１の外装部材が操作パネルと一体となって装置本体から脱離することを特徴とする画像形成装置。
【請求項２】
前記ブラケットは、複数の位置で、前記フレームに固定されてなることを特徴とする請求項１に記載の画像形成装置。
【請求項３】
前記締結部材は、ネジであることを特徴とする請求項１または２に記載の画像形成装置。
【請求項４】
操作パネルと装置本体間の通信用ハーネスおよび装置本体から操作パネルに電力を供給するための電力用ハーネスを接続するコネクタが、操作パネルおよび／又は画像形成装置本体側に設けられていることを特徴とする請求項１から３のいずれかに記載の画像形成装置。
【請求項５】
前記操作パネルの底面の少なくとも一部には平坦部が形成されると共に、当該平坦部より下方に突出する部分がなく、かつ、当該操作パネルを平坦な載置面上に載置したときに、操作パネルの重心の前記載置面への投影点が、前記平坦部と載置面との接触する領域内に位置するように前記操作パネルの底面の形状が形成されている
ことを特徴とする請求項１から４のいずれかに記載の画像形成装置。
【発明の詳細な説明】
【技術分野】
【０００１】
本発明は、複写機等の画像形成装置、特に画像形成装置の本体部から張り出して設けられた操作パネルの取付け構造に関する。
【背景技術】
【０００２】
通常、画像形成装置には、プリント部数、倍率の設定、用紙選択などの画像形成条件を受付けるための操作パネルが、装置本体前面の所定位置に取付けられているが、当該画像形成装置の設置場所やユーザの身長、車椅子に乗って操作する場合等の操作姿勢の違いといった様々な要因により、個々のユーザが使用しやすい操作パネルの角度や向きは異なっている。
【０００３】
そこで、近年、このような個々のユーザの身体的特徴や設置状況に係らず良好な視認性や操作性を提供するというユニバーサルデザインの観点から、操作パネルの傾きや位置を上下、左右に調節可能な構成が採用されつつある。
このような構成の場合、操作パネルの傾きや位置を調整するためのスペースを確保しつつ、装置本体の小型化を図るために、操作パネルが装置本体の前面に張り出した状態で設置されることが多い。
【特許文献１】特開平８−３９８９４号公報
【特許文献２】特開２００３−１４３３３９号公報
【発明の開示】
【発明が解決しようとする課題】
【０００４】
しかしながら、操作パネルが、画像形成装置の本体部から張り出していると、画像形成装置を輸送または搬入する際、取り扱いに注意を要するだけでなく、梱包サイズが大きくなり、輸送効率や省資源化の観点からも好ましいものではない。
そこで、輸送時には操作パネルを本体部から取り外しておき、ユーザの使用場所に納品して設置する際に、操作パネルを取り付けるようにすることが合理的であるが、従来は、図１１に示すように、先ず、操作パネルユニット５０本体を支持している取付けブラケット１００が画像形成装置本体内部のフレーム６にネジ７により固定され、さらに、当該固定箇所をカバー８３１で覆い、当該カバー８３１をネジ７’により画像形成装置本体外装８に固定して、外観上の美観を損なわないようにしている。
【０００５】
ところが、上記構成であると、操作パネルユニット５０をネジ止めした後に、別途カバーを装着する必要があり、操作パネルの取付け作業に手間がかかり、納品先での設置に時間を要してしまう。
また、納品後であっても、画像形成装置の設置場所を変更するような場合、その移動の際に操作パネルを疵付けないように、ユーザが当該操作パネルを装置本体から一時的に取り外すことも想定されるが、このような場合にも時間を要し、使い勝手が悪い。
【０００６】
本発明は、上記事情に鑑みてなされたものであって、操作パネルを備えた画像形成装置において、その輸送時等における利便性を向上させるため、当該操作パネルへの画像形成装置本体への着脱を容易にすることを目的とする。
【課題を解決するための手段】
【０００７】
上記の課題を解決するため、本発明に係る画像形成装置は、画像形成条件を受け付ける操作パネルを備えた画像形成装置であって、前記操作パネルは、その背面から延出されたブラケットが、締結部材により装置本体内部のフレームに固定される構成を有し、装置本体の外装が、前記締結部材によるブラケットの固定部位を覆う第１の外装部材と、それ以外の部分を覆う第２の外装部材とからなり、前記第１の外装部材は、前記ブラケット側に取着されていると共に、外部から締結具を挿入して前記締結部材の締結・解除の操作が可能な位置に貫通孔もしくは開口が設けられており、前記操作パネルの取り外し時において、当該第１の外装部材が操作パネルと一体となって装置本体から脱離することを特徴とする。
【発明の効果】
【０００８】
上記構成により、操作パネルの画像形成装置本体への取り付け、取り外しの際の作業の煩雑さが軽減され、作業の簡便性の向上および作業時間の短縮が可能である。また、出荷時に操作パネルを取り外して梱包することにより、張り出し部分がなくなって、梱包用の箱のサイズを縮小化し、梱包材を節約することができる。
ここで、前記ブラケットは、複数の位置で、前記フレームに固定されてなることを特徴とするとしてもよい。
【０００９】
これにより、操作パネルを画像形成装置本体に、より強固で安定的に固定することができる。
また、前記締結部材は、ネジであることを特徴とするとしてもよい。
これにより、締結具としてねじ締めドライバを利用して、操作パネルを装置本体に容易に取付け・取り外しできる。
【００１０】
さらに、操作パネルと装置本体間の通信用ハーネスおよび装置本体から操作パネルに電力を供給するための電力用ハーネスを接続するコネクタが、操作パネルおよび／又は画像形成装置本体側に設けられていることを特徴とするとしてもよい。
これにより、操作パネルが画像形成装置本体から完全に分離され、取り外した操作パネルを載置する場所が通信用ハーネスの長さの範囲に限定されないため、梱包などの作業効率が向上する。
【００１１】
さらにここで、前記操作パネルの底面の少なくとも一部には平坦部が形成されると共に、当該平坦部より下方に突出する部分がなく、かつ、当該操作パネルを平坦な載置面上に載置したときに、操作パネルの重心の前記載置面への投影点が、前記平坦部と載置面との接触する領域内に位置するように前記操作パネルの底面の形状が形成されていることを特徴とするとしてもよい。
【００１２】
これにより、操作パネルの底面を下にしても安定して載置できるので、組立作業時などにおいて、取り外された操作パネルをそのディスプレイパネル側を下方に向けて載置する必要がなくなり、ディスプレイパネル損傷のおそれが低減する。
【発明を実施するための最良の形態】
【００１３】
以下、本発明に係る画像形成装置の実施の形態を、デジタル式複写機に適用した場合を例にして説明する。
（１．画像形成装置の全体構成）
図１は、当該デジタル式複写機（以下、単に「複写機」と言う。）１の外観斜視図である。
【００１４】
同図に示すように、複写機１は主な構成要素として、給紙部４の上にプリンタ部３および画像読取部２を順に積設して成り、操作パネルユニット５がプリンタ部３上部の画像読取部２に近い位置に着脱可能に設けられている。
本複写機１は、プリンタ部３と画像読取部２の間のスペースを排紙トレイとして利用する、いわゆる胴内排紙型の複写機である。
【００１５】
画像読取部２は、光源と折り返しミラーを保持するスキャナ部（不図示）を備え、当該折り返しミラーにより反射された原稿画像を、光学レンズを介してＣＣＤセンサに受光させて、画像データを生成する公知の構成を有する。
プリンタ部３は、電子写真式のものであって、感光体ドラムの露光、現像、一次転写、二次転写及び定着などの一連の動作を実施して、画像読取部２から出力された画像データを用紙に印刷するものである。
【００１６】
給紙部４は、画像を記録するためのシートが収納された給紙カセットから、一枚ずつシートをプリント部３へとタイミングを計って搬送する。
操作パネルユニット５は、ユーザからの画像形成条件の入力を受け付け、エラー情報等を表示する。また、操作パネルユニット５は、後述する姿勢変更機構５２により、同図に示されるように、左右（Ｘ−Ｘ’方向）および上下（Ｚ−Ｚ’方向）に回動可能であり、ユーザが操作しやすいように角度や位置を変更し調節することが出来るようになっている。
（２．操作パネルの構成）
操作パネルユニット５は、図２に示すように、操作パネル本体部５１、姿勢変更機構５２、およびブラケット５３から成る。
【００１７】
操作パネル本体部５１は、複写（コピー）の開始を指示するためのスタートキー５１１、コピー枚数等の入力用のテンキー５１２、入力されたコピー枚数等の設定をゼロに戻すためのリセットキー５１３、および液晶タッチパネル５１４等を上面に備える。
液晶タッチパネル５１４は、表面にタッチパネルが積層されており、ユーザからの、コピー倍率の設定、用紙選択、コピーモードの選択等の入力（タッチ入力）を受け付けると共に、コピー枚数や複写機１の状態、例えば紙詰まり（ジャム）等を示すメッセージを表示する。
【００１８】
姿勢変更機構５２は、操作パネル本体部５１の下方に配設されており、ユーザが操作しやすい角度や位置に操作パネル本体部５１を調節できるように、当該操作パネル本体部５１を上下（図１：Ｚ−Ｚ’方向）、左右（図１：Ｘ−Ｘ’方向）に可動させる。
また、姿勢変更機構５２は、ブラケット５３に支持されており、当該ブラケット５３を介して操作パネルユニット５全体が、複写機本体に保持される構成となっている。
（３．操作パネルの取り付け構造）
図３は、操作パネルユニット５が複写機１本体に取り付けられている状態における、取り付け部の垂直方向の断面並びに操作パネル本体部５１の側面を示す図である。
【００１９】
同図に示すように、操作パネル本体部５１は、その側面に、複写機１本体から操作パネル本体部５１へ電源を供給し、画像情報やユーザからの入力情報等を送受信するハーネス９０（図４参照）を接続するためのパネルコネクタ５１５、および電源スイッチ５１６を備える。
また、ブラケット５３は、途中に設けられた姿勢変更機構５２を介して操作パネル本体部５１を支持して、複写機１本体に取着するためのものである。ブラケット５３の本体側に設けられた取付部５３０の断面が、逆Ｌ字型形状となっておりその水平部と垂直部がそれぞれ装置本体のフレーム６の上面および手前側側面に当接し、４本のネジ７ａ〜７ｄ（図３では、ネジ７ａ、７ｃはそれぞれ手前のねじ７ｂ、７ｃに重なって見えない。）により、フレーム６に固定されている。
【００２０】
複写機１の外装のうち、取付部５３０を覆う部分（カバー部材）５３１は、当該外装の他の部分とは別部材であって、ブラケット５３側に装着されており、ブラケット５３と一体として装置本体から取り外しできるように構成されている（図４参照）。
このカバー部材５３１は、接着剤やネジなどでブラケット５３に予め取着されているとしてもよく、あるいは、カバー部材に５３１に爪を設け、取付部５３０に嵌め込んで爪をブラケット５３に係合させることにより取着させるようにしてもよく、その手段は限定されない。
【００２１】
図４は、ブラケット５３が、カバー部材５３１と共に、装置本体のフレーム６から取り外されて脱離したときの様子を示す斜視図である。なお、同図では便宜上、姿勢変更機構５２の図示を省略すると共に、操作パネルユニット５１は仮想線（２点鎖線）で示している。
同図に示すように複写機１本体の筐体の、操作パネルユニット５のブラケット５３の取付部５３０の取付箇所に対応する部分に開口部８０が設けられており、当該開口部８０を介してブラケット５３の取付部５３０を挿入し、フレーム６に当該取付部５３０をねじ止めする。
【００２２】
ブラケット５３をフレーム６に取付けた状態で、カバー部材５３１が丁度開口部８０に蓋をするような状態となり、外部から筺体内を見えなくすることにより、美感を維持すると共に、当該開口部８０から異物などが混入しないように配慮されている。
カバー部材５３１の上部には筒状穴部５３２ａおよび５３２ｂ、下部には筒状穴部５３２ｃおよび５３２ｄがそれぞれ設けられ、筒状穴部５３２ａ〜５３２ｄはそれぞれ有底であってその底面には、ネジ７ａ〜７ｄが貫通するための貫通孔が穿設され、また取付部５３の同じ位置に貫通孔５３３ａ〜５３３ｄが穿設されている。
【００２３】
当該貫通孔５３３ａ〜５３３ｄを介して、フレーム６に穿設されているネジ穴６１ａ〜６１ｄにネジ７ａ〜７ｄを螺合させて締め付けることにより、操作パネルユニット５が複写機１本体に固定される。
なお、フレーム６のネジ穴６１ａ〜６１ｄの代わりに下穴を開けておいて、ネジ７ａ〜７ｄとしてタッピングネジを使用して固定するようにしてもよいし、フレーム６の板厚があまりない場合には、例えば、フレーム６のネジ孔６１ａ〜６１ｄの位置に貫通孔のみ設けて、その裏側にプロジェクションナットを溶着し、通常のネジを当該プロジェクションナットに螺合させて締結するようにしてもよい。
【００２４】
図５は、操作パネル本体部５１を上下方向下側（図１：Ｙ方向）に回動させた状態における、取り付け部の垂直方向の断面および操作パネルの側面を示す図である。同図に示される状態において、カバー部材５３１を上方から垂直に見下ろした場合、当該カバー部材５３１上面に設けられた筒状穴部５３２ａおよび５３２ｂを介して、ネジ７ａおよび７ｂの頭部が臨める状態となっており、ドライバー９の先端を上方から筒状穴部５３２ａ、５３２ｂに挿入してネジ７ａおよび７ｂを容易に締め付けることができる。
【００２５】
また、図６は、操作パネル本体部５１が、通常の姿勢にあるときに（左右に傾けずに、手前部分の上面がほぼ水平となる状態。図３参照）、複写機１前面から当該操作パネル本体部５１を見た図である。
同図に示されるように、筒状穴部５３２ｃを介してネジ７ｃの頭部が臨める状態となっており、ドライバー９の先端を水平方向から筒状穴部５３２ｃに挿入してネジ７ｃを容易に締め付けることができる。
【００２６】
図７は、操作パネル本体部５１を左（図１：Ｘ方向）に回動させた状態において、複写機１の操作パネルユニット５が取り付けられている部分の平面図であり、図８は、図７の状態において、同図矢印Ａの方向のやや下方から操作パネルユニット５を見た図である。
図８に示されるように、操作パネル本体部５１を左側に回動させた状態において、筒状穴部５３２ｄを介してネジ７ｄの頭部が臨める状態となっており、ドライバー９の先端を水平方向から筒状穴部５３２ｄに挿入してネジ７ｄを容易に締め付けることができる。
【００２７】
以上に述べたように、操作パネル本体部５１を適当に回動させることにより、操作パネルユニット５を複写機１本体に固定しているネジの頭を垂直または水平方向から臨める状態にすることができ、ドライバー９を用いてネジ７ａ〜７ｄを締め付けることにより、操作パネルユニット５を装置本体に取付けることができる。
操作パネルユニット５の取付と同時にカバー部材５３１も取着されるので、改めてこの部分の外装を取付ける手間が不要となり、操作パネルユニット５の取付作業が極めて容易になる。取り外しのときも同様である。
（４．操作パネルの底面の形状）
従来、操作パネル底部は一般に曲面や角度のついた面で構成されており、平坦面上に安定して置くことが難しい。平坦面上に載置した際に姿勢が安定しないと、ぐらついたり転倒したりして平坦面や他の物体と衝突し、それによる衝撃で、精密機器でもある操作パネルに故障や破損が発生する虞があるため、操作パネルを画像形成装置本体から取り外した際には、比較的平らなディスプレイユニット側を下にして置く場合が多い。
【００２８】
しかし、操作パネルの取り付けおよび取り外し作業の際には、周囲にネジ等の部品や工具等が一緒に置かれている可能性が高く、そのため、ディスプレイユニット側を下にして置くと、それらの部品や工具によりディスプレイユニットを不用意に損傷する虞がある。
図９は、操作パネルユニット５を複写機１本体から取り外したときの、取り付け部の垂直方向の断面および操作パネル本体部５１の側面を示す図である。
【００２９】
同図に示されるように、操作パネルユニット５は、底部に平坦部５２２を備え、平坦部５２２は平坦面Ｐと面接触している。レバー部５２１（後述の１０（ａ）（ｂ）参照）およびカバー部材５３１は、平坦面Ｐの位置から若干後退して接しないように設計されている。
複写機１本体から取り外された操作パネルユニット５の重心Ｇ（図７参照）が、平坦面Ｐと直交する方向に平坦面Ｐ上に投影した点が、平坦面Ｐと平坦部５２２との接触面の内部に存在するように設計することにより、操作パネルユニット５を底部を下にして平坦面Ｐ上に載置した場合に、平坦部５２２を底面として、安定した姿勢を保持することが出来る。
【００３０】
これにより、取り外した操作パネルユニット５を液晶タッチパネル５１４側を上にして安心して載置することができ、当該液晶タッチパネル５１４やテンキー５１２等を損傷する虞がなくなると共に、作業効率も向上する。
なお、上記実施の形態においては、レバー部５２１およびカバー部材５３１は、平坦面Ｐに接しないとしたが、当該レバー部５２１およびカバー部材５３１の両方もしくはいずれか一方が、平坦面Ｐと接するとしてもよい。このようにすることで、操作パネルユニット５は平坦面Ｐ上に載置された際に、より安定した姿勢を保持することが可能となる。
（５．姿勢変更機構５２の構成）
本実施の形態においては、操作パネルユニット５が上下左右に回動可能な構成となっている。操作パネルの回動機構については、公知であるが、その一例を簡単に説明しておく。
【００３１】
図１０（ａ）は、操作パネルユニット５を複写機１本体から取り外し、更に操作パネル本体部５１および姿勢変更機構５２の外装を取り外して、姿勢変更機構５２内部の様子を示した斜視図である。
この姿勢変更機構５２は、レバー部５２１を手前に引くことにより、上下の角度の位置規制が解除されて、上下角度が変更可能となる。
【００３２】
また、水平方向に外力を加えることにより、左右に揺動するようになっている。
より具体的には、姿勢変更機構５２は、ベース部１０と、スライド部２０と、水平回動部３０と、二軸揺動部７０とからなる。
ベース部１０は、姿勢変更機構５２を構成する複数の部材を配置するためのものであって、二軸揺動部７０を上下方向に回動可能に軸支すると共に、操作パネル本体部５１と接合する操作パネル固定部材４０を有している。
【００３３】
二軸揺動部７０は、同図に示すように、回転軸Ｖと一致した軸心を有する垂直軸部７２と、ねじりバネ４１に遊挿され回転軸Ｈと一致した軸心を有する不図示の水平軸部とを備え、ねじりバネ４１によって上方に付勢されている。
ここで、二軸揺動部７０の上下方向の揺動位置は、上下方向に設けられた複数の貫通孔７１のいずれかに水平回動部３０の爪３３が嵌り込むことによって規制されている。
【００３４】
また、垂直軸部７２はネジより成り、二軸揺動部７０を取付部５３０（図１０では取付部５３０はカバー部材５３１に隠れて見えない。）に対し、回転軸Ｖを中心として左右方向へ揺動可能に締結している（図４参照）。
スライド部２０は、ベース部１０上を、前後方向（Ｚ−Ｚ’方向）に摺動する摺動部材２６と、引張バネ２５とを備え、当該摺動部材２６端部にはレバー部５２１が付設されている。さらに、レバー部５２１は、引張バネ２５によりＺ’方向に付勢されている。
【００３５】
また、摺動部材２６は、Ｚ軸方向に延びる長穴２１および２３が設けられており、これらにそれぞれベース部１０に立設されたガイドピン２２および２４が係合することによって、Ｚ軸方向のみへスライド可能となっている。
さらに、摺動部材２６には、ガイドピン３２が立設されている。
水平回動部３０は、回動部材３４がガイドピン２４によって、ベース部１０に軸支されて成る。
【００３６】
回動部材３４には、摺動部材２６と接する面にリンク溝３１が設けられており、当該リンク溝３１には、上記ガイドピン３２が係合している。
これによって、例えば、レバー部５２１がＺ方向に引かれた場合、ガイドピン３２がＺ方向に移動し、図１０（ｂ）に示すように、回動部材３４が、ガイドピン２４を軸として、時計回り（矢印Ｃ方向）に回動し、回動部材３４に設けられた爪３３が、二軸揺動部７０に設けられた貫通孔７１から脱嵌し、二軸揺動部７０の回転軸Ｈを中心とした上下方向の回動規制が解除される。
【００３７】
このとき、ユーザは、操作パネル本体部５１の角度を自分の好みの角度に調整し直した後、レバー部５２１を元の位置に戻すことによって、爪３３が別の貫通孔７１に係合して、操作パネル本体部５１の上下方向の角度を固定することができる。
なお、操作パネル本体部５１の左右方向の角度を変更する場合には、単に動かしたい方向に力を加えるだけでよい。
【００３８】
また、貫通孔７１の形状は、爪３３の滑らかな嵌脱に支障をきたさない限り、円形や楕円形、長穴、多角形等の形状でもよい。
＜変形例＞
以上、本発明を実施の形態に基づいて説明してきたが、本発明が上述の実施の形態に限定されないのは勿論であり、以下のような変形例を実施することが出来る。
（１）上記実施の形態においては、操作パネル本体部５１を回動させることにより、操作パネルユニット５を複写機１本体に固定しているネジ７ａ〜７ｄおよび当該ネジ７ａ〜７ｄが挿入される貫通孔５３３ａ〜５３３ｄを底面に備える筒状穴部５３２ａ〜５３２ｄが露出するとしたが、カバー部材５３１が操作パネル本体部５１および姿勢変更機構５２よりも十分大きく、当該操作パネル本体部５１および姿勢変更機構５２を回動させなくても露出している位置に筒状穴部５３２ａ〜５３２ｄおよび貫通孔５３３ａ〜５３３ｄが設けられているとしてもよい。その場合、フレーム６に穿設されているネジ孔６１ａ〜６１ｄの中心が、貫通孔５３３ａ〜５３３ｄに挿入されるネジ７ａ〜７ｄの軸の中心線を通る直線上に位置することは勿論である。
（２）上記実施の形態においては、操作パネルユニット５をフレーム６に固定する締結部材としてネジを使用したが、これに代えてプッシュプルリベットを用いるとしても、同様の効果を得ることができる。
【００３９】
なお、上記実施の形態における画像形成装置は、例えば、電子写真方式を用いて画像を形成する装置であって、具体的には、複写機、ファクシミリ装置、プリンタや、これらの機能を兼ね備えるＭＦＰ（Ｍｕｌｔｉｆｕｎｃｔｉｏｎ  Ｐｅｒｉｐｈｅｒａｌ：多機能周辺装置）であってもよい。何れの場合も、ユーザの操作入力を受け付ける操作パネルを備えていれば、本発明を適用してその効果を得ることができる。
【００４０】
また、上記実施の形態および上記変形例の内容を可能な範囲で夫々組み合わせるとしてもよい。
【産業上の利用可能性】
【００４１】
本発明は、画像形成装置の本体から張り出した位置に設けられた操作パネルを有する画像形成装置に広く適用することができる。
【図面の簡単な説明】
【００４２】
【図１】本発明の実施の形態に係る複写機１の概略構成を示す外観斜視図である。
【図２】操作パネルユニット５の概略構成を示す外観斜視図である。
【図３】操作パネルユニット５が複写機１本体に取り付けられている状態における、取り付け部の垂直方向の断面および操作パネルの側面を示す図である。
【図４】ブラケット５３が複写機１本体に取り付けられる様子を示した斜視図である。
【図５】操作パネル本体部５１を上下方向下側に回動させた状態における、取り付け部の垂直方向の断面および操作パネルの側面を示す図である。
【図６】操作パネル正面から複写機１を見た平面図である。
【図７】操作パネル本体部５１を左（Ｘ方向）に回転させた状態における、操作パネルユニット５および複写機１本体の平面図である。
【図８】図７の状態において、同図矢印Ａの方向から操作パネルユニット５を見た図である。
【図９】操作パネルユニット５を複写機１本体から取り外して平坦面Ｐ上に載置した状態における、取り付け部の垂直方向の断面および操作パネルの側面を示す図である。
【図１０】（ａ）は、姿勢変更機構５２の構造を示す図であり、（ｂ）は、その動作を示す図である。
【図１１】操作パネルの画像形成装置本体への従来の取り付け方法を示す、取り付け部の垂直方向の断面および操作パネルの側面を示す図である。
【符号の説明】
【００４３】
１                                  複写機
１０                                ベース部
１００                              取付けブラケット
２                                  画像読取部
２０                                スライド部
２１                                長穴
２２                                ガイドピン
２３                                長穴
２４                                ガイドピン
２５                                引張バネ
２６                                摺動部材
３                                  プリンタ部
３０                                水平回動部
３１                                リンク溝
３２                                ガイドピン
３３                                爪
３４                                回動部材
４                                  給紙部
４０                                操作パネル固定部材
４１                                ねじりバネ
５、５０                            操作パネルユニット
５１                                操作パネル本体部
５１１                              スタートキー
５１２                              テンキー
５１３                              リセットキー
５１４                              液晶タッチパネル
５１５                              パネルコネクタ
５１６                              電源スイッチ
５２                                姿勢変更機構
５２１                              レバー部
５２２                              平坦部
５３                                ブラケット
５３０                              取付部
５３１                              カバー部材
５３２ａ〜５３２ｄ                  筒状穴部
５３３ａ〜５３３ｄ                  貫通孔
６                                  フレーム
６１ａ〜６１ｄ                      ネジ孔
７ａ〜７ｄ、７’                    ネジ
７０                                二軸揺動部
７１                                貫通孔
７２                                垂直軸部
８                                  画像形成装置本体外装
８０                                開口部
８３１                              カバー
９                                  ドライバー
９０                                ハーネス
【図１】
2010134356.tif 000003
【図２】
2010134356.tif 000004
【図３】
2010134356.tif 000005
【図４】
2010134356.tif 000006
【図５】
2010134356.tif 000007
【図６】
2010134356.tif 000008
【図７】
2010134356.tif 000009
【図８】
2010134356.tif 000010
【図９】
2010134356.tif 000011
【図１０】
2010134356.tif 000012
【図１１】
2010134356.tif 000013